(57)【要約】【課題】変更された外側曲線部分を有するてんぷばねを提供すること。【解決手段】てんぷばね（１）は、複数のコイル３を含み、その外側曲線部分（２）の端部分（６、８）が前記てんぷばねの設置点（７）を正確に規定するために変形によって硬化され、前記変形は、てんぷばね（１）の高さに直角な平面内で外側曲線部分（２）の端部（６）を９０°曲げるか、前記端部（２）の内面または外面に対して外側曲線部分（２）の端部（８）の一部分を１８０°下に折り曲げることによって達成され得る。【選択図】図２
2006017733.tif 000002
【特許請求の範囲】
【請求項１】
ばねてんぷ調整装置のための複数のコイル（３）を含むてんぷばね（１）であって、前記てんぷばね（１）の外側曲線部分（１２）を直接または間接的に固定することができるようにてんぷコック（１２）内で回転するてん真（１１）に内側曲線部分（４）が固定され、前記外側曲線部分（２）の端部（６、８）が、前記てんぷばねの設置点（７）を正確に決めるために変形によって硬化されることを特徴とするてんぷばね（１）。
【請求項２】
前記変形が、てんぷばね（１）の高さに直角な平面内で外側曲線部分（２）の端部（６）を９０°ねじることによって達成されることを特徴とする請求項１に記載のてんぷばね。
【請求項３】
前記屈曲端部（６）の中央軸は、コイル（３）の中央軸の延長部分内にあることを特徴とする請求項１に記載のてんぷばね。
【請求項４】
前記変形は、前記端部（８）の内面または外面に対して前記外側曲線部分（２）の端部（８）の一部を曲げることによって達成されることを特徴とする請求項１に記載のてんぷばね。
【請求項５】
１８０°にわたって曲げられた部分は、前記外側曲線部分（２）の前記端部（８）の内面または外面に対して接着または溶接されることを特徴とする請求項４に記載のてんぷばね。
【発明の詳細な説明】
【技術分野】
【０００１】
本発明は、特に、外側曲線部分がてんぷばねの動作長さを正確に決めるように変更され、それによって日差の変化を低減するのを助ける時計のばねてんぷ調整装置に統合するためのてんぷばねに関する。
【背景技術】
【０００２】
ばねてんぷ調整装置の等時性が温度や磁界のような外部条件の変化によって中断させられることがあることはよく知られている。このような変化の影響を補償するか、または低減するために、材料の選択、てんぷの形成、てんぷばねの形成に対する種々の解決法が提案され、および／または保持された。
【０００３】
てんぷばねに関連する限り、てんぷばねをてん真に固定するための内側曲線部分の形成、てんぷばねをてんぷコックに固定するための外側曲線部分の形成、固定を実現するための手段は、等時性に関する決定部分としての役割を果たしている。本発明は、さらに詳細には、外側曲線をてんぷコックに直接に、またはてんぷばねを位置決めするための可動てんぷばねスタッド担体によって一般的に支持されたてんぷばねスタッドを介して固定する手段に関する。
【特許文献１】米国特許第１０３７７４１号公報
【発明の開示】
【発明が解決しようとする課題】
【０００４】
てんぷばねの外側曲線部分は、大部分がピンまたは接着剤によって固定されるが、他の解決法も提案された。例えば、慣性ブロックが三角形状を有する例えば、米国特許第１０３７７４１号に開示されるような曲線の端部にてんぷコックの１つの端部に設置された慣性ブロックを付加することが提案された。このような構成は、一端に慣性ブロックを形成するためにてんぷばねの製造をさらに複雑にし、てんぷコック・スタッドの通常の配列と異なるてんぷコックの特別な配列を必要とする。
【０００５】
ピンまたは接着剤を使用する通常の固定方法は、わずかなムーブメントによって、またはエージングおよび／または接着剤の小片によって、時間の経過にともなうてんぷばねの収縮／膨張点の位置を補償しないという欠点を有する。
【０００６】
したがって、本発明の目的は、てんぷコック・スタッドへの変更を必要とせず、また設置点と呼ばれる収縮／膨張点が経時的に変化を受けない、公知の技術によって外側曲線部分を固定することができるてんぷばねを提供することによって従来技術の欠点を克服することである。
【課題を解決するための手段】
【０００７】
したがって、本発明は、ばねてんぷ調整装置のための複数のコイルを含むてんぷばねであって、てんぷばねの外側曲線部分を直接または間接的に固定することができるようにてんぷコック内で回転するてん真に内側曲線が固定され、前記曲線部分の端部は、固定のためにどのような手段が使用されても設置点を正確に決めるために、変形によって硬化させられたてんぷばねに関する。
【０００８】
第１の実施態様によれば、てんぷばねの高さに垂直な平面で、好ましくはコイルの中央軸の延長において、９０°にわたって、外側曲線部分の端部をねじることによって変形が実行される。てんぷコックまたはてんぷコック・スタッド担体に固定されたてんぷコック・スタッドのスリットに、例えば、接着剤によって固定が実行されるとき、外側曲線部分の端部をねじることは、それがスタッドを変更する必要がないようにてんぷばねストリップの幅を変えないことが観察される。したがって、設置点は、接着剤が配置される方法に依存せず、エージングにも依存しないが、てんぷばねの端部をねじることによって硬化される点に依存する。
【０００９】
第２の実施態様によれば、前記端部の内面または外面に対して１８０°にわたって、外側曲線部分の端部を折り曲げることによって、および遠位折り曲げ部分の下側部分が設置点を規定する折曲げ部分をさらにしっかりと保持するために接着または溶接することによって、変形が実行される。
【発明を実施するための最良の形態】
【００１０】
本発明の他の特徴および利点は、添付図面を参照することによって、制限されない説明として、次の説明において明らかになる。
【００１１】
図１は、本発明を理解するために有効な部分に制限した、一部を破断して示したばねてんぷ調整装置を示す。
【００１２】
調整装置は、てん真１１に打ち込まれたコレット５によっててんぷばねの内側曲線部分４を固定するためのてんぷ１０を含む。内側曲線部分４は、当業者に知られている他の手段によっても固定できることは明らかである。外側曲線部分は、てんぷコック１２に固定されている。図示した例において、一般にてんぷコック・スタッド担体１３に固定されたてんぷコック・スタッド１５に設置することによってコックを取り付けている。その設置は、一般に接着剤によって行われる。通常、一般に矩形の部分（ｈ．ｅ）を有する外側曲線部分の端部は、いまではほとんど使用されていないブレゲー（Ｂｒｅｇｕｅｔ）てんぷばねを除いて、コイル３の延長部分内にある。
【００１３】
しかしながら、本発明は、てんぷばね設置点７がてんぷコック・スタッド１５によって形成されるのではなく、図２に示すように硬化されている場所でてんぷばね自身に形成されるように外側曲線部分の端部６を変形することを提案する。この例で理解することができるように、設置点７の形成は、端部をコイルの高さ「ｈ」に直角な平面になるように外側曲線部分２の端部６を９０°ねじることによって得ることができ、コイルの中間線１６ａが、屈曲部分６の中間線１６ｂの延長部内にある。
【００１４】
図３に示す第２の実施態様において、てんぷばねの動作長さを規制している設置点７は、外側曲線部分２の外面または内面に（前の例の部分６に対応する）部分８を１８０°折り曲げることによって形成される。接触している部分は、接着、溶接、または他の等価な手段によって所定の位置に保持させる。
【００１５】
本発明によるてんぷばねによって提供され、第１の実施形態によって変更される外側曲線部分を有する利点を示す、２つの例の比較試験が追加される。
【００１６】
例１
第１のシリーズの測定は、９０°曲げられた端部６がてんぷコック・スタッドを貫通する穴で停止されるてんぷばねで実行される。測定される平均時間は、４１８０６５μｓである。同じ実験の条件において、連続的に取り付け取り外しを実行することによって、測定される平均時間は、４１８０６１μｓ、すなわち、全体として無視できる４μｓの変化である。
【００１７】
第２のシリーズの測定において、端部６は、停止されておらず、角度がてん真に対して測定された３度だけ移動する。時計学上の理論によれば、時間の変化は、６０４μｓでなければならない。しかしながら、本発明によるてんぷばねによって、測定される平均時間は、４１８０１０μｓ、すなわち、第１のシリーズの測定に対して５５μｓの変化であり、これは、非屈曲てんぷばねによって期待できる値の約１１倍未満である。この値は、ストリップの他の構造パラメータ（ｈ、ｅおよび長さ）が変化せずに残ると仮定して１１の因数によっててんぷばねストリップの剛性における増大に関連する。
【００１８】
例２
この例において、４つの異なるてんぷばね（Ａ、Ｂ、Ｃ、Ｄ）が採用され、その外側曲線部分が第１の実施形態によって変更されており、日差（第２／日）の変化は、外側曲線部分の３つの固定点を補償している。第１の位置において、屈曲部分６がてんぷばねスタッド穴内に停止され、第２の状態において、部分６は、わずかに引かれ、第３の位置において、てん真に対して角度α＝７度移動している。この試験の目的は、日差のゼロ変化を有するばねてんぷ調整装置を製造することではなく、差の変化を比較することに特定される。結果を下記の表に示す。
【００１９】
【表１】
2006017733.tif 000003
【００２０】
最大平均変化は、１０秒台であることが明らかである。すなわち、時計学的な理論によって期待されるものの１０分の１であり、すなわち、７度の角度移動につき１００秒の変化である。
【００２１】
この試験は、てんぷコック・スタッドの設置の精度をそれほど重要でなくする外側曲線部分のさらに新しい設計を示す。
【００２２】
本発明の観点から逸脱することなく、いかなる材料をも追加することなく、当業者は、てんぷばねを製造するためにどのような材料が使用されるにしても外側曲線部分の設置端部を変更および硬化することができる。同様に、本発明の利点は、内側曲線部に関して行われる他の改良点とともに追加されることができる。
【図面の簡単な説明】
【００２３】
【図１】本発明によるてんぷばねを備えたばねてんぷの一部破断した平面図を示す。
【図２】第１の実施形態による図１のてんぷばねの外側曲線部分の端部の拡大斜視図である。
【図３】本発明の第２の実施形態による図２と同様の図である。
【符号の説明】
【００２４】
１  てんぷばね、２  外側曲線部分、６、８  端部分、７  設置点
【図１】
2006017733.tif 000004
【図２】
2006017733.tif 000005
【図３】
2006017733.tif 000006